(57)【特許請求の範囲】
【請求項１】
ポケットが設けられたシートカバーであって、
前記ポケットは、
シートカバーを形成する表皮材の裏面側に配置され、ポケット開口の縁に沿って裏面側に折り返された前記表皮材の折り返し部に縫着された袋部と、
前記ポケット開口の一対の長手縁のうち少なくとも一方の長手縁に沿う前記表皮材の折り返し部と前記袋部との間に挟み込まれて該折り返し部及び該袋部に縫着され、ポケット開口に張り出して配置された筒状の玉縁部と、
前記玉縁部に挿入された芯材と、
を備え、
前記表皮材の折り返し部と、前記袋部と、前記玉縁部とは、一つの縫製部によって一体に接合されており、
前記玉縁部及び前記芯材は、前記ポケット開口の一対の短手縁を前記ポケット開口の長手方向に超えて延びる延在部をそれぞれ有し、
前記玉縁部の延在部と前記芯材の延在部とが互いに固定されているシートカバー。
【請求項２】
請求項１記載のシートカバーであって、
前記玉縁部は、前記ポケット開口の一対の長手縁のうち一方の長手縁側にのみ設けられ、前記ポケット開口の短手方向に前記ポケット開口を二分する中心線を前記ポケット開口の他方の長手縁側に超えて張り出しているシートカバー。
【請求項３】
請求項２記載のシートカバーであって、
前記ポケット開口の前記長手縁の長さは１８ｍｍ以上２２０ｍｍ以下であり、前記ポケット開口の短手縁の長さは８ｍｍ以上２０ｍｍ以下であるシートカバー。
【請求項４】
請求項１から３のいずれか一項記載のシートカバーであって、
前記表皮材はフェイクレザーであるシートカバー。
【請求項５】
請求項１から４のいずれか一項記載のシートカバーによって包被された車両用シート。
【発明の詳細な説明】
【技術分野】
【０００１】
本発明は、シートカバー及び車両用シートに関する。
【背景技術】
【０００２】
特許文献１に記載された自動車用シートのシートカバーはポケットティッシュ収納部を備える。シートカバーを形成する表皮材にスリット状のポケットティッシュ出し入れ口が形成され、ポケットティッシュ出し入れ口に重なる内皮片が表皮材の裏面側に設けられており、内皮片が表皮材に縫着されてポケットティッシュ収納部が構成されている。
【０００３】
そして、ポケットティッシュ出し入れ口の縁部の強度を向上させるため、ポケットティッシュ出し入れ口の縁に沿って表皮材の末端部が裏面側に折り返され、折り返し部は、この折り返し部に重なる表皮材部分に縫着されている。
【先行技術文献】
【特許文献】
【０００４】
【特許文献１】特開２０１３−１１２０００号公報
【発明の概要】
【発明が解決しようとする課題】
【０００５】
特許文献１に記載されたシートカバーのポケットティッシュ収納部のように、ポケット開口の縁に沿って表皮材が裏面側に折り返された場合、ポケット開口が拡大され、且つ常に開いた状態となり、車両用シートの外観品質を損ねる虞がある。
【０００６】
本発明は、上述した事情に鑑みなされたものであり、ポケットが設けられたシートカバーによって包被されるシートの外観品質を高めることを目的としている。
【課題を解決するための手段】
【０００７】
本発明の一態様のシートカバーは、ポケットが設けられたシートカバーであって、前記ポケットは、シートカバーを形成する表皮材の裏面側に配置され、ポケット開口の縁に沿って裏面側に折り返された前記表皮材の折り返し部に縫着された袋部と、前記ポケット開口の一対の長手縁のうち少なくとも一方の長手縁に沿う前記表皮材の折り返し部と前記袋部との間に挟み込まれて該折り返し部及び該袋部に縫着され、ポケット開口に張り出して配置された筒状の玉縁部と、前記玉縁部に挿入された芯材と、を備え、前記表皮材の折り返し部と、前記袋部と、前記玉縁部とは、一つの縫製部によって一体に接合されており、前記玉縁部及び前記芯材は、前記ポケット開口の前記長手縁の両端を前記ポケット開口の長手方向に超えて延びる延在部をそれぞれ有し、前記玉縁部の延在部と前記芯材の延在部とが互いに固定されている。
【０００８】
また、本発明の一態様の車両用シートは、前記シートカバーによって包被されている。
【発明の効果】
【０００９】
本発明によれば、ポケットが設けられたシートカバーにおけるポケットの開きを縮小し、このシートカバーによって包被されたシートの外観品質を高めることができる。
【図面の簡単な説明】
【００１０】
【図１】本発明の実施形態を説明するための、車両用シートの一例の構成を示す図である。
【図２】図１のシートカバーのポケットの構成を一部破断して示す図である。
【図３】図２のポケットの構成を断面で模式的に示す図である。
【図４】本発明の実施形態を説明するための、シートカバーのポケットの他の例の構成を一部破断して示す図である。
【図５】図４のポケットの構成を断面で模式的に示す図である。
【発明を実施するための形態】
【００１１】
図１は、本発明の実施形態を説明するための、車両用シートの一例の構成を示す。
【００１２】
図１に示す車両用シート１は、座面部分を構成するシートクッション２と、背もたれ部分を構成するシートバック３とを備える。シートクッション２及びシートバック３は、フレーム及びフレームに支持されるクッションパッドがシートカバー４Ａによって包被されて構成されている。
【００１３】
シートカバー４Ａを形成する表皮材５としては、例えば布、天然皮革、基布に塩化ビニルやポリウレタンなどの合成樹脂を塗布及び／又は含浸してなるフェイクレザー、等の種々の生地が用いられる。シートカバー４Ａの全体が単一の生地で形成されていてもよいし、複数の生地が用いられ、シートカバー４Ａの各部位が部位に応じた生地で形成されていてもよい。
【００１４】
シートカバー４Ａには、ポケット６が設けられている。図示の例では、ポケット６はシートバック３の背面中央部に配置されている。なお、ポケット６は、例えばシートバック３やシートクッション２の側面部などに配置されていてもよく、シートカバー４Ａの複数箇所に配置されていてもよい。
【００１５】
図２及び図３は、ポケット６の構成を示す。
【００１６】
ポケット６は、袋部１０と、玉縁部１１と、芯材１２と、を備える。シートカバー４Ａを形成する表皮材５には、スリット状の切れ込みによってシートバック３の背面の幅方向に延びるポケット開口１３が設けられており、ポケット開口１３の縁に沿う表皮材５の縁部は裏面側に折り返されている。
【００１７】
袋部１０は、適宜な生地からなり、例えば重ね合された略矩形の二枚の生地片の三辺が縫製等の適宜な手段で接合されて形成され、あるいは折り重ねられた略矩形の一枚の生地片の二辺が縫製等の適宜な手段で接合されて形成される。袋部１０を形成する生地は、シートカバー４Ａを形成する表皮材５の生地と同じであってもよいし、異なっていてもよい。
【００１８】
袋部１０はシートカバー４Ａを形成する表皮材５の裏面側（クッションパッド側）に配置されており、袋部１０の開口縁部はポケット開口１３の縁に沿って裏面側に折り返された表皮材５の折り返し部に縫着されている。
【００１９】
玉縁部１１は、ポケット開口１３の一対の長手縁１４ａ，１４ｂのうち少なくとも一方の長手縁側に設けられる。図示の例では、玉縁部１１は長手縁１４ａ及び長手縁１４ｂの両側にそれぞれ設けられている。
【００２０】
長手縁１４ａ側に設けられた玉縁部１１は、折り重ねられた略矩形の一枚の適宜な生地片によって構成されている。生地片の折り返し側がポケット開口１３に張り出した状態にて、生地片は長手縁１４ａに沿う表皮材５の折り返し部１５ａと、この折り返し部１５ａに縫着される袋部１０の開口縁部１６ａとの間に挟み込まれ、折り返し部１５ａ及び開口縁部１６ａに縫着されている。折り返し部１５ａ及び開口縁部１６ａ、並びに両者に挟まれる玉縁部１１の生地片は、縫製部１７ａによって一体に接合されている。
【００２１】
長手縁１４ｂ側に設けられた玉縁部１１もまた、折り重ねられた略矩形の一枚の適宜な生地片によって構成されている。生地片の折り返し側がポケット開口１３に張り出した状態にて、生地片は長手縁１４ｂに沿う表皮材５の折り返し部１５ｂと、この折り返し部１５ｂに縫着される袋部１０の開口縁部１６ｂとの間に挟み込まれ、折り返し部１５ｂ及び開口縁部１６ｂに縫着されている。折り返し部１５ｂ及び開口縁部１６ｂ、並びに両者に挟まれる玉縁部１１の生地片は、縫製部１７ｂによって一体に接合されている。
【００２２】
このように構成された玉縁部１１は、筒状に形成され、ポケット開口１３に張り出して配置されている。玉縁部１１がポケット開口１３の長手縁１４ａ及び長手縁１４ｂの両側にそれぞれ設けられている図示の例では、長手縁１４ａ側の玉縁部１１と長手縁１４ｂ側の玉縁部１１とは、ポケット開口１３の短手方向にポケット開口１３を二分する中心線Ａに沿って互いに突き合わされている。
【００２３】
ポケット開口１３の縁に沿って表皮材５が裏面側に折り返されることによってポケット開口１３は拡大されるが、ポケット開口１３に張り出して設けられた玉縁部１１によってポケット開口１３が閉じられ、あるいはポケット開口１３の開きが縮小される。
【００２４】
ここで、表皮材５の折り返し部１５ａは、折り返し部１５ａに重なる表皮材５の部分に接合されておらず、表皮材５を形成する生地の剛性に起因して、折り返し部１５ａのめくれ上がりを生じさせる復元力が表皮材５に作用する。折り返し部１５ｂもまた、折り返し部１５ｂに重なる表皮材５の部分に接合されていないため、同様に、折り返し部１５ｂのめくれ上がりを生じさせる復元力が表皮材５に作用する。
【００２５】
表皮材５の上記の復元力によって折り返し部１５ａ及び折り返し部１５ｂがめくれ上がると、玉縁部１１によって閉じられるポケット開口１３の口が開いてしまう。そこで、折り返し部１５ａ及び折り返し部１５ｂのめくれ上がりによるポケット開口１３の口の開きを抑制するため、本シートカバー４Ａでは、筒状に形成された玉縁部１１の各々に芯材１２が挿入されている。
【００２６】
芯材１２は、表皮材５の上記の復元力に抗して形状保持可能な剛性を有していればよく、例えば塩化ビニルなどの樹脂材料や紙材料などで紐状又は帯板状に形成される。好ましくは、芯材１２は弾性変形可能に形成される。
【００２７】
そして、玉縁部１１の両端部には、ポケット開口１３の一対の短手縁をポケット開口１３の長手方向に超えて延びる延在部２０が設けられ、玉縁部１１に挿入された芯材１２の両端部にもまた、ポケット開口１３の一対の短手縁をポケット開口１３の長手方向に超えて延びる延在部２１が設けられている。
【００２８】
玉縁部１１の一方の延在部２０と、この延在部２０に覆われる芯材１２の延在部２１とは例えば縫製等の適宜な手段で互いに固定され、玉縁部１１の他方の延在部２０と、この延在部２０に覆われる芯材１２の延在部２１もまた互いに固定されている。それにより、玉縁部１１と芯材１２とは一体とされ、玉縁部１１内部での芯材１２の位置ずれや玉縁部１１の弛みが抑制されている。
【００２９】
そして、折り返し部１５ａのめくれ上がりに対し、折り返し部１５ａに縫着されている玉縁部１１に挿入された芯材１２の延在部２１の各々が、ポケット開口１３の短手縁に沿う表皮材５の縁部に係合する。表皮材５の縁部に係合した芯材１２が突っ支いとなり、折り返し部１５ａのめくれ上がりが抑制される。
【００３０】
同様に、折り返し部１５ｂのめくれ上がりに対し、折り返し部１５ｂに縫着されている玉縁部１１に挿入された芯材１２の延在部２１の各々が、ポケット開口１３の短手縁に沿う表皮材５の縁部に係合する。表皮材５の縁部に係合した芯材１２が突っ支いとなり、折り返し部１５ｂのめくれ上がりが抑制される。
【００３１】
折り返し部１５ａ及び折り返し部１５ｂのめくれ上がりが抑制されることによってポケット開口１３の口の開きが抑制される。それにより、シートカバー４Ａによって包被された車両用シート１の外観品質を高めることができる。
【００３２】
車両用シート１のシートカバー４Ａを形成する表皮材５には耐久性が要求され、表皮材５の生地は例えば衣服等に用いられる生地に比べて一般的に剛性（復元力）が高く、表皮材５の生地として用いられるフェイクレザーは樹脂の含浸及び／又は塗布によって剛性が高い。そこで、上述のとおり、芯材１２を用いてポケット開口１３の口の開きを抑制することは特に有用である。
【００３３】
図４及び図５は、本発明の実施形態を説明するための、シートカバーのポケットの他の例の構成を示す。なお、上述したシートカバー４Ａと共通する要素には共通の符号を付して説明を省略又は簡略する。
【００３４】
図４及び図５に示すシートカバー４Ｂのポケット６では、玉縁部１１が、ポケット開口１３の一対の長手縁１４ａ，１４ｂのうち一方の長手縁１４ａ側にのみ設けられている。玉縁部１１は、ポケット開口１３の短手方向にポケット開口１３を二分する中心線Ａを長手縁１４ｂ側に超えてポケット開口１３に張り出している。
【００３５】
玉縁部１１には芯材１２が挿入されており、玉縁部１１の両端部にはポケット開口１３の一対の短手縁をポケット開口１３の長手方向に超えて延びる延在部２０がそれぞれ設けられている。芯材１２の両端部にもポケット開口１３の一対の短手縁をポケット開口１３の長手方向に超えて延びる延在部２１がそれぞれ設けられている。そして、玉縁部１１の延在部２０と芯材１２の延在部２１とが互いに固定され、玉縁部１１と芯材１２とは一体とされている。
【００３６】
表皮材５の復元力による折り返し部１５ａのめくれ上がりに対し、折り返し部１５ａに縫着されている玉縁部１１に挿入された芯材１２の延在部２１の各々が、ポケット開口１３の短手縁に沿う表皮材５の縁部に係合する。表皮材５の縁部に係合した芯材１２が突っ支いとなり、折り返し部１５ａのめくれ上がりが抑制される。
【００３７】
また、表皮材５の復元力による折り返し部１５ｂのめくれ上がりに対しは、中心線Ａを長手縁１４ｂ側に超えて配置された芯材１２が、長手縁１４ｂに沿う折り返し部１５ｂに縫着された袋部１０の開口縁部１６ｂに重なる。芯材１２が突っ支いとなり、折り返し部１５ｂのめくれ上がりが抑制される。
【００３８】
シートカバー４Ｂのポケット６では、玉縁部１１がポケット開口１３の一方の長手縁１４ａ側にのみ設けられ、中心線Ａを他方の長手縁１４ｂ側に超えて玉縁部１１がポケット開口１３に張り出して配置されている。かかる構成は、ポケット６が比較的小型に形成される場合に特に有用であり、芯材１２が挿入される玉縁部１１の内部空間を拡大して表皮材５の復元力に抗するに足る剛性を有する太い芯材１２を用いることが可能となり、ポケット開口１３の口の開きを一層確実に抑制することができる。
【００３９】
比較的小型に形成されるポケット６に収納される物品としては、特に限定されるものではないが、携帯電話機やスマートフォンやタブレットコンピュータや携帯ゲーム機などの携帯電子機器、書籍、ポケットティッシュ、等の比較的小型の物品を例示することができる。この種の比較的小型の物品を収納するポケット６は、好ましくはポケット開口１３の長手縁１４ａ,１４ｂの長さＬ１が１８ｍｍ以上２２０ｍｍ以下、短手縁の長さＬ２が８ｍｍ以上２０ｍｍ以下である。
【００４０】
なお、上述したシートカバー４Ａ及びシートカバー４Ｂ並びに車両用シート１の構成は例示であって、本発明の要旨を逸脱しない範囲内で、適宜な変形や変更を施すことが可能である。
【００４１】
以上、説明したとおり、本明細書に開示されたシートカバーは、ポケットが設けられたシートカバーであって、前記ポケットは、シートカバーを形成する表皮材の裏面側に配置され、ポケット開口の縁に沿って裏面側に折り返された前記表皮材の折り返し部に縫着された袋部と、前記ポケット開口の一対の長手縁のうち少なくとも一方の長手縁に沿う前記表皮材の折り返し部と前記袋部との間に挟み込まれて該折り返し部及び該袋部に縫着され、ポケット開口に張り出して配置された筒状の玉縁部と、前記玉縁部に挿入された芯材と、を備え、前記玉縁部及び前記芯材は、前記ポケット開口の一対の短手縁を前記ポケット開口の長手方向に超えて延びる延在部をそれぞれ有し、前記玉縁部の延在部と前記芯材の延在部とが互いに固定されている。
【００４２】
また、本明細書に開示されたシートカバーは、前記玉縁部が、前記ポケット開口の一対の長手縁のうち一方の長手縁側にのみ設けられ、前記ポケット開口の短手方向に前記ポケット開口を二分する中心線を前記ポケット開口の他方の長手縁側に超えて張り出している。
【００４３】
また、本明細書に開示されたシートカバーは、前記ポケット開口の前記長手縁の長さが１８ｍｍ以上２２０ｍｍ以下であり、前記ポケット開口の短手縁の長さが８ｍｍ以上２０ｍｍ以下である。
【００４４】
また、本明細書に開示されたシートカバーは、前記表皮材がフェイクレザーである。
【００４５】
また、本明細書に開示された車両用シートは、前記シートカバーによって包被されている。
【符号の説明】
【００４６】
１     車両用シート
２     シートクッション
３     シートバック
４Ａ   シートカバー
４Ｂ   シートカバー
５     表皮材
６     ポケット
１０   袋部
１１   玉縁部
１２   芯材
１３   ポケット開口
１４ａ 長手縁
１４ｂ 長手縁
１５ａ 折り返し部
１５ｂ 折り返し部
２０   延在部
２１   延在部
Ａ     中心線
【図１】
0006389753.tif 000002
【図２】
0006389753.tif 000003
【図３】
0006389753.tif 000004
【図４】
0006389753.tif 000005
【図５】
0006389753.tif 000006